(57)【要約】【課題】不使用時にノズルの不用意な回転を防止し、また、トリガーの不用意な引き込みを防止でき、使用に当たってはトリガーを延長状態に形成できてトリガー操作をより行ない易くすることができ、その取り扱い操作も簡単なトリガー式液体噴出器を提案する。【解決手段】射出筒１３の先端にノズルＤを回動可能に装着し、射出筒１３前部より揺動可能に垂設したトリガーＦの操作により、容器体８０内の液をシリンダ筒１６内に吸い上げて、ノズルＤの噴出口より噴出するトリガー式液体噴出器であって、ノズルＤ前面及び周面を被覆嵌合するノズルカバー部６５と、ノズルカバー部６５の下端部より連結部６７を介して延設し、且つ、トリガーＦ前面を被覆するトリガーカバー部６６とを備え、トリガーカバー部６６の下端部をトリガー下端部に回動可能に連結してトリガーＦ下方位置への回動が可能に構成したカバー体Ｈを設けた。【選択図】図１
2014128757.tif 000002
【特許請求の範囲】
【請求項１】
容器体（８０）内とパイプ２５を介して連通する縦流路（Ｐａ）と、縦流路（Ｐａ）と連通して前方へ突設したシリンダ筒（１６）と、シリンダ筒（１６）上方位置に於いて縦流路（Ｐａ）と連通して前方へ延設した射出流路（Ｐｂ）とを有する本体（Ｂ）を備え、射出流路（Ｐｂ）を画成する射出筒（１３）の先端にノズル（Ｄ）を装着し、射出筒（１３）前部より揺動可能に垂設したトリガー（Ｆ）操作により、容器体（８０）内の液をシリンダ筒（１６）内に吸い上げて、ノズル（Ｄ）の噴出口より噴出するトリガー式液体噴出器であって、ノズル（Ｄ）前面及び周面を被覆嵌合するノズルカバー部（６５）と、トリガー（Ｆ）前面を被覆するトリガーカバー部（６６）とを一体に連結し、トリガーカバー部（６６）の下端部をトリガー下端部に回動可能に連結してトリガー（Ｆ）下方位置への回動が可能に構成したカバー体（Ｈ）を設けたことを特徴とするトリガー式液体噴出器。
【請求項２】
ノズル（Ｄ）を、回動位置により液の噴出、噴出停止の切り換えが可能な如く射出筒（１３）の先端に装着し、ノズル（Ｄ）の外周を、ノズルカバー部（６５）の嵌着時に液の噴出停止状態となる、非円形形状とした請求項１記載のトリガー式液体噴出器。
【請求項３】
トリガーカバー部（６６）の下端部に、カバー体（Ｈ）を回動垂下させた際にトリガー（Ｆ）の延長線上にトリガーカバー部（６６）が回動係止される係止手段を設けた請求項１又は請求項２に記載のトリガー式液体噴出器。
【請求項４】
前記係止手段として、カバー体（Ｈ）の回動所定位置でトリガー（Ｆ）裏面に当接係止する係止突部（７２）を、トリガーカバー部の下端より後方へ突設した請求項３に記載のトリガー式液体噴出器。
【請求項５】
トリガーカバー部（６６）の前面に指当て防止用の突条（７１）を突設した請求項１乃至請求項４のいずれか１項に記載のトリガー式液体噴出器。
【発明の詳細な説明】
【技術分野】
【０００１】
本発明はトリガー式液体噴出器に関する。
【背景技術】
【０００２】
トリガー操作により内臓ポンプ機構の作用で、装着した容器体内の液を汲み上げ、先端のノズルより液状、霧状等に噴出するトリガー式液体噴出が知られている。（例えば、特許文献１参照）。
【０００３】
上記トリガー式液体噴出器は、装着した容器体内とパイプを介して連通する縦流路と、縦流路の上部に連通して前方へ延設し、先端に嵌着したノズル内と連通する射出流路と、射出流路下方に於いて縦流路内と連通して前方へ突設したシリンダ筒と、を備えた本体を備え、シリンダ筒内を摺動するプランジャを操作するトリガーを、射出流路前部位置の本体より揺動可能に垂設している。
【０００４】
また、射出流路を画成する射出筒の先端にはノズルを回動可能に装着しており、ノズルの回動位置により、液の噴出停止状態、霧状の噴出、或いは棒状の噴出等の切り換えが可能に構成されている。
【先行技術文献】
【特許文献】
【０００５】
【特許文献１】特許第３７８１９０４号公報
【発明の概要】
【発明が解決しようとする課題】
【０００６】
本発明は、不使用時にトリガーの不用意な引き込みを防止でき、使用に当たってはトリガーを延長状態に形成できてトリガー操作をより行ない易くすることができ、その取り扱い操作も簡単なトリガー式液体噴出器を提案する。
【課題を解決するための手段】
【０００７】
第１の手段として、以下の通り構成した。即ち、容器体８０内とパイプ２５を介して連通する縦流路Ｐａと、縦流路Ｐａと連通して前方へ突設したシリンダ筒１６と、シリンダ筒１６上方位置に於いて縦流路Ｐａと連通して前方へ延設した射出流路Ｐｂとを有する本体Ｂを備え、射出流路Ｐｂを画成する射出筒１３の先端にノズルＤを装着し、射出筒１３前部より揺動可能に垂設したトリガーＦ操作により、容器体８０内の液をシリンダ筒１６内に吸い上げて、ノズルＤの噴出口より噴出するトリガー式液体噴出器であって、ノズルＤ前面及び周面を被覆嵌合するノズルカバー部６５と、トリガーＦ前面を被覆するトリガーカバー部６６とを一体に連結し、トリガーカバー部６６の下端部をトリガー下端部に回動可能に連結してトリガーＦ下方位置への回動が可能に構成したカバー体Ｈを設けた。
【０００８】
第２の手段として、以下の通り構成した。即ち、前記第１の手段に於いて、ノズルＤを、回動位置により液の噴出、噴出停止の切り換えが可能な如く射出筒１３の先端に装着し、ノズルＤの外周を、ノズルカバー部６５の嵌着時に液の噴出停止状態となる、非円形形状とした。
【０００９】
第３の手段として、以下の通り構成した。即ち、第１の手段又は第２の手段に於いて、トリガーカバー部６６の下端部に、カバー体Ｈを回動垂下させた際にトリガーＦの延長線上にトリガーカバー部６６が回動係止される係止手段を設けた。
【００１０】
第４の手段として、以下の通り構成した。即ち、第３の手段に於いて、前記係止手段として、カバー体Ｈの回動所定位置でトリガーＦ裏面に当接係止する係止突部７２を、トリガーカバー部の下端より後方へ突設した。
【００１１】
第５の手段として、以下の通り構成した。即ち、前記第１の手段又は第４の手段のいずれかの手段に於いて、トリガーカバー部６６の前面に指当て防止用の突条７１を突設した。
【発明の効果】
【００１２】
本発明は、ノズルＤ前面及び周面を被覆嵌合するノズルカバー部６５と、トリガーＦ前面を被覆するトリガーカバー部６６とを一体に連結し、トリガーカバー部６６の下端部をトリガー下端部に回動可能に連結してトリガーＦ下方位置への回動が可能に構成したカバー体Ｈを設けているので、不使用時にノズルの前面の噴出口を閉塞でき、また、トリガーの不用意な引き込みを防止でき、使用に当たってはカバー体Ｈを回動することで簡単に使用可能となり、その取り扱い操作もきわめて容易である。
【００１３】
ノズルＤを、回動位置により液の噴出、噴出停止の切り換えが可能な如く射出筒１３の先端に装着し、ノズルＤの外周を、ノズルカバー部６５の嵌着時に液の噴出停止状態となる、非円形形状とした場合には、非使用時に外力でノズルＤが不用意に回動していまうという不都合を防止できる。
【００１４】
トリガーカバー部６６の下端部に、カバー体Ｈを回動垂下させた際にトリガーＦの延長線上にトリガーカバー部６６が回動係止される係止手段を設けた場合には、トリガーＦの延長線上に丈の長いトリガーカバー部６６が連続するため、トリガーＦを延長した状態となり、トリガー操作がより容易となる。
【００１５】
前記係止手段として、カバー体Ｈの回動所定位置でトリガーＦ裏面に当接係止する係止突部７２を、トリガーカバー部６６の下端より後方へ突設した場合には、極めて簡単な構造で、確実にトリガーカバー部６６の係止が可能となる。
【００１６】
トリガーカバー部６６の前面に指当て防止用の突条７１を突設した場合には、ノズルＤに嵌着したノズルカバー部６５によるノズルＤからの液の噴出防止に加えて、トリガーＦを誤って引いてしまうことを防止でき、液の不用意な噴出をより確実に防止でき、また、カバー体Ｈを回動させてロングレバーを形成した際にはロングレバーとしての延長部の補強を兼ねることができる。
【図面の簡単な説明】
【００１７】
【図１】トリガー式液体噴出器の縦断面図である。（第１実施例）
【図２】トリガー式液体噴出器の正面図である。（第１実施例）
【図３】トリガー式液体噴出器のカバー体開放状態の縦断面図である。（第１実施例）
【図４】トリガー式液体噴出器の縦断面図である。（第２実施例）
【図５】トリガー式液体噴出器の正面図である。（第２実施例）
【図６】トリガー式液体噴出器のカバー体開放状態の縦断面図である。（第２実施例）
【発明を実施するための形態】
【００１８】
以下、本発明の実施例の形態を図面を参照して説明する。
【００１９】
図１乃至図３は本発明トリガー式液体噴出器の第１実施例を示し、図中１はトリガー式液体噴出器を示す。尚、説明の便宜上、図１の左方を前部、右方を後部、手前を右部、奥方を左部として説明する。
【００２０】
トリガー式液体噴出器１は、装着キャップＡと、本体Ｂと、連結部材Ｃと、ノズルＤと、プランジャＥと、トリガーＦと、本体カバーＧと、カバー体Ｈとを備えている。
【００２１】
装着キャップＡは、容器体８０の口頸部８１外周に螺着してトリガー式液体噴出器１を容器体８０に装着固定するもので、本体Ｂの下部に回動可能に連設されている。
【００２２】
第１実施例に於いて、本体Ｂは更に、本体部Ｂ１と、シリンダ部材Ｂ２と、インテイクＢ３とを組み付け構成している。
【００２３】
本体部Ｂ１は、上端を閉塞した下端開口の連結筒部１０を備え、連結筒部１０の頂板１１の後部偏心位置に基端を開口した有頂の縦筒１２を上方に起立し、また、縦筒１２の上端部に基端を開口した射出筒１３を前方へ延設している。また、連結筒部１０上の縦筒前面より、前面を開口し、後端を閉塞したシリンダ嵌合筒１４を突設している。
【００２４】
シリンダ部材Ｂ２は、シリンダ嵌合筒１４内に嵌合させた外周のシリンダ筒１６の後端縁よりフランジ状の奥壁を延設し、奥壁の内周縁より前方へ、先端閉塞の筒状突部１７を突設している。また、シリンダ嵌合筒１４とシリンダ筒１６との間には環状の隙間１８を設けており、この環状の隙間１８を介してシリンダ筒１６の上部に穿設した第１通気孔１９と、シリンダ筒１６下部に穿設した第２通気孔２０とを連通している。
【００２５】
インテイクＢ３は、連結筒部１０内に、連結筒部１０の頂板１１と隙間をあけて嵌合させた有頂の大径筒部２３と、大径筒部２３の頂板の後部偏心位置を貫通して上方に起立させ、縦筒１２内に嵌着した小径筒部２４とを備え、小径筒部２４内部に縦流路Ｐａを画成している。また、小径筒部２４内下部に吸上げ用のパイプ２５の上端を嵌着して下端を容器体８０内に垂下している。更に、図示しないが、大径筒部２３の外周より突設したフランジ上面に装着キャップＡ上端のフランジ状頂壁を当接させて本体部Ｂ１に対して装着キャップＡを回動可能に装着している。また、大径筒部２３の頂板には第３通気孔２６を穿設し、プランジャＥを押し込んだ際に外部と容器体８０内が、上記第１通気孔１９、隙間１８、第２通気孔２０、第３通気孔２６を介して連通し、負圧化した容器体８０内に外気が導入される如く構成している。
【００２６】
また、シリンダ筒１６内の筒状突部１７上方位置に、シリンダ筒１６内と縦流路Ｐａとを連通する第１連通路２７を備え、第１連通路２７の下方位置の縦流路Ｐａ内には吐出弁Ｖ１を、第１連通路２７の上方位置には吸上げ弁Ｖ２をそれぞれ設けている。また、吸上げ弁Ｖ２上方の縦流路Ｐａ内と、射出筒１３で画成された射出流路Ｐｂを連通する第２連通路２８備えている。
【００２７】
上記した如く、本体Ｂは、装着した容器体８０内とパイプ２５を介して連通する縦流路Ｐａと、縦流路Ｐａと連通して前方へ突設したシリンダ筒１６と、シリンダ筒１６上方位置に於いて縦流路Ｐａと連通して前方へ延設した射出流路Ｐｂとを備えている。
【００２８】
連結部材Ｃは、射出流路Ｐｂを画成する射出筒１３の先端外周に装着筒部３１を嵌合させて射出筒１３の先端に嵌着しており、連結部材Ｃを介して射出筒１３の先端にノズルＤを連結している。装着筒部３１先端に射出筒１３先端面を被覆する基板３２を備え、基板３２に設けた透孔３３を介して射出流路ｐｂ内とノズルＤ先端の噴出口とを連通している。また、装着筒部３１の前部両側からはバネ板３４を一体に垂設している。
【００２９】
ノズルＤは、連結部材Ｃに回動可能に連結した、図２に示す如き正面視略六角形をなし、前部下部には把手突出用凹部４０を、前面中央部には蓋板嵌合用凹部４１を凹設している。また、蓋板嵌合用凹部４１内には、上端部両側を枢着した蓋板４２を開閉可能に嵌合している。蓋板４２は、中央を開口し、開口部周縁より放射状の突起４３を周方向複数突設している。また、ノズルＤ内部には連結部材Ｃとで構成した、ノズルＤの回動位置により、液の噴出停止、霧状の噴出、液状の噴射の形態を、選択できる公知の切り替え機構を備えており、図２の状態では液の噴出停止状態に構成されている。
【００３０】
プランジャＥは、シリンダ筒１６内周に摺動可能に嵌合させた摺動部５０を、シリンダ筒１６と筒状突部１７との間を前後動可能な周壁部５１の後端部より突設し、周壁部５１の先端を柱状頭部５２で閉塞して構成しており、摺動部５０が第１通気孔１９を閉塞する位置から後方への押し込みが可能に装着されている。
【００３１】
トリガーＦは、前板５５の両側より一対の側板５６を延設し、前板５５と側板５６の下端には底板５７を延設しており、バネ板３４垂設部分後方の連結部材Ｃの両側に、前板５５上方に突出した両側板５６の上端部をそれぞれ枢着して、前後揺動可能に装着されている。また、連結部材Ｃの左右より一体に垂設された一対のバネ板３４の下端部を、トリガーＦの両側面上部にそれぞれ連係させて常時前方へ付勢された状態で枢着されている。更に、プランジャＥの先端部をトリガーＦの上部に連係させて、トリガーＦの引き込みによりプランジャＥの押し込みが可能に、押し込んだ状態からバネ板３４の弾性復元力で元の状態に復元するトリガーにより、プランジャＥを元の状態に引き戻すよう構成されている。また、トリガーＦの底板５７の両側から突設した一対の支持板５８間にカバー体Ｈを回動可能に連結する軸５９を掛け渡している。
【００３２】
本体カバーＧは、本体Ｂの上面、両側面、後面を被覆して本体Ｂに嵌着固定している。
【００３３】
カバー体Ｈは、ノズルＤ前面及び周面を被覆嵌合するノズルカバー部６５と、ノズルカバー部６５の下端部より連結部６７を介して延設し、且つ、トリガーＦ前面を被覆するトリガーカバー部６６とを備え、トリガーカバー部６６の下端部をトリガー下端部に回動可能に連結してトリガーＦ下方位置への回動が可能に構成している。
【００３４】
第１実施例に於けるカバー体Ｈは、ノズルＤの外周と相似形態の略六角形状の周壁６５ａと、その前縁に延設した略六角形状の前壁６５ｂとで構成したノズルカバー部６５と、トリガーＦの前面に当接して被覆する縦長の脚板６６ａ両側よりそれぞれ側壁６６ｂを突設したトリガーカバー部６６とを備え、周壁６５ａの後面下端部より突設した連結部６７の後端とトリガーカバー部６６の上端を一体に連結している。連結部６７はノズルＤの周面の下部が嵌合する半環状に形成されている。また、ノズルカバー部６５の周壁６５ａの上面後端部に指掛け突起６８を突設している。
【００３５】
また、脚板６６ａ下端中央部より下方へ延設した取付板６９の裏面両側より一対の軸受け７０を突設し、各軸受け７０をトリガーＦの軸５９に軸着させて、図３に示す如く、カバー体Ｈをトリガー下方位置へ回動可能に構成している。従って、カバー体Ｈは、図１に示す如き、ノズルＤ前面及び周面をノズルカバー部６５により被覆嵌合し、トリガーＦの前面をトリガーカバー部により当接被覆した状態では、ノズルＤの回動を防止でき、また、トリガーＦの引き込みを防止できる。この際ノズルＤは噴射停止状態にある。
【００３６】
尚、上記した如くノズルＤの外周を、ノズルカバー部６５の嵌着時に液の噴出停止状態となる非円形形状としているが、非円形形状は上記六角形に限らない。
【００３７】
上記の如く構成したトリガー式液体噴出器１は、図１の状態からカバー体Ｈを回動させて図３の状態とし、次いで、ノズルＤを回動させて例えば噴霧可能状態とした後、トリガーＦを後方へ引くことで、プランジャＥを押し込み、シリンダ筒１６内の液が縦流路Ｐａ内に圧入され、吸上げ弁Ｖ２を開いて射出流路ＰｂよりノズルＤ内を介してノズルＤの噴出口より噴霧される。
【００３８】
次いでトリガーＦの引き込みをやめるとバネ板３４の弾性復元力によりトリガーＦが元の状態に戻されるとともに、プランジャＥが引き出され、負圧化したシリンダ筒１６内に吐出弁Ｖ１を開いて容器体８０内の液が導入される。
【００３９】
使用後はノズルＤを元の噴出停止状態に回動した後、カバー体Ｈを回動させてもとの状態に戻す。
【００４０】
図４乃至図６は第２実施例を示し、第１実施例に於いて、トリガーＦ及びカバー体Ｈの構成を変更している。
【００４１】
第２実施例に於けるトリガーＦは、両側板５６の下端部をそれぞれ内側へ凹ませた一対の軸形成用凹部６０を設け、この軸形成用凹部６０内にそれぞれ軸５９を突設しており、その他の構成は第１実施例と同様である。
【００４２】
また、カバー体Ｈは、ノズルＤの外周と相似形態の略六角形状の周壁６５ａと、その前縁に延設した略六角形状の前壁６５ｂとで構成したノズルカバー部６５と、トリガーＦの前面に当接して被覆する縦長の脚板６６ａで構成したトリガーカバー部６６とを備え、周壁６５ａの後面下端部より突設した連結部６７の後端とトリガーカバー部６６の上端を一体に連結している。連結部６７はノズルＤの周面の下部が嵌合する半環状に形成されている。また，ノズルカバー部６５の周壁６５ａの上面後端部に指掛け突起６８を突設している。
【００４３】
更に、トリガーカバー部６６の前面である、脚板６６ａの前面に指当て防止用の突条７１を突設している。この指当て防止用の突条７１は、例えば、不使用時に不用意にトリガーＦを引くことを防止するものであり、第２実施例では１本の指当て防止用の突条７１を突設しているが、これに限らず、複数本突設することも当然可能である。また、指当て防止用の突条７１を第１実施例に適用することも当然可能である。
【００４４】
また、脚板６６ａの両側下端部より後方へそれそれ突設した軸受け７０をトリガーＦのの各軸５９に軸着させて、図６に示す如く、カバー体Ｈをトリガー下方位置へ回動可能に構成している。更に、脚板６６ａの下端より後方へ、カバー体Ｈの所定回動位置で係止する係止手段を構成し、カバー体Ｈの回動時にトリガーＦの前板５５裏面に当接係止する係止突部７２を突設している。従って、カバー体Ｈは、図４に示す如き、ノズルＤ前面及び周面をノズルカバー部６５により被覆嵌合し、トリガーＦの前面をトリガーカバー部により当接被覆した状態では、ノズルＤの回動を防止でき、トリガーＦの引き込みを防止できる。この際ノズルＤは噴射停止状態にある。また、図４の状態からカバー体Ｈを回動させると、図６に示す如く、トリガーＦの延長線上にカバー体Ｈが回動した際に係止突部７２がトリガーＦの前板５５裏面に当接係止され、カバー体Ｈの所定回動位置での係止を可能としている。トリガーＦの延長線上に回動係止されたカバー体Ｈは、トリガーＦの延長部として使用することができる。その際、指当て防止用の突条７１を突設しているとロングレバーとしての延長部の補強を兼ねることができる。
【符号の説明】
【００４５】
１：トリガー式液体噴出器
Ａ：装着キャップ
Ｂ：本体
Ｂ１：本体部
１０…連結筒部、１１…頂板，１２…縦筒、１３…射出筒、１４…シリンダ嵌合筒
Ｂ２：シリンダ部材
１６…シリンダ筒、１７…筒状突部、１８…環状の隙間、１９…第１通気孔、
２０…第２通気孔
Ｂ３：インテイク
２３…大径筒部、２４…小径筒部、２５…パイプ、２６…第３通気孔、
２７…第１連通路、２８…第２連通路
Ｃ：連結部材
３１…装着筒部、３２…基板、３３…透孔、３４…バネ板
Ｄ：ノズル
４０…把手突出用凹部、４１…蓋板嵌合用凹部、４２…蓋板、４３…放射状の突起
Ｅ：プランジャ
５０…摺動部、５１…周壁部、５２…柱状頭部
Ｆ：トリガー
５５…前板、５６…側板、５７…底板、５８…支持板、５９…軸、６０…軸形成用凹部
Ｇ：本体カバー
Ｈ：カバー体
６５…ノズルカバー部、６５ａ…周壁、６５ｂ…前壁、６６…トリガーカバー部、
６６ａ…脚板、６６ｂ…側壁、６７…連結部、６８…指掛け突起、６９…取付板、
７０…軸受け、７１…指当て防止用の突条、７２…係止突部
８０：容器体
８１…口頸部
Ｖ１：吐出弁
Ｖ２：吸上げ弁
Ｐａ：縦流路
Ｐｂ：射出流路
【図１】
2014128757.tif 000003
【図２】
2014128757.tif 000004
【図３】
2014128757.tif 000005
【図４】
2014128757.tif 000006
【図５】
2014128757.tif 000007
【図６】
2014128757.tif 000008